【手続補正書】
【提出日】平成19年12月14日(2007.12.14)
【手続補正１】
【補正対象書類名】明細書
【補正対象項目名】発明の名称
【補正方法】変更
【補正の内容】
【発明の名称】音声符号化装置及び音声符号化方法
【手続補正２】
【補正対象書類名】明細書
【補正対象項目名】特許請求の範囲
【補正方法】変更
【補正の内容】
【特許請求の範囲】
【請求項１】  音源パルスで構成された音源ベクトルを生成する音源ベクトル生成手段と、拡散パタンを生成する拡散パタン生成手段と、前記生成された拡散パタンにしたがって前記生成された音源ベクトルのパルスを拡散するパルス拡散手段と、聴覚重み付け後の誤差信号のエネルギを最小とする前記音源ベクトルを決定する誤差最小化手段と、を具備する音声符号化装置であって、
前記拡散パタン生成手段は、１つの拡散パタンの特定要素の振幅値を変えることによってフレーム毎に異なる拡散パタンを生成する、音声符号化装置。
【請求項２】  前記拡散パタン生成手段は、１つの拡散パタンの１サンプル目の振幅値を変えることにより前記１つの拡散パタンを加工する、請求項１記載の音声符号化装置。
【請求項３】  前記拡散パタン生成手段は、拡散パタンの１要素のみの振幅が他の要素に比べて相対的に増減するように拡散パタンのパルス振幅値を変える、請求項１記載の音声符号化装置。
【請求項４】  前記拡散パタン生成手段は、係数を乗算することにより拡散パタンのパルス振幅値を変える、請求項１記載の音声符号化装置。
【請求項５】  音源パルスで構成された音源ベクトルを生成する音源ベクトル生成工程と、拡散パタンを生成する拡散パタン生成工程と、前記生成された拡散パタンにしたがって前記生成された音源ベクトルのパルスを拡散するパルス拡散工程と、聴覚重み付け後の誤差信号のエネルギを最小とする前記音源ベクトルを決定する誤差最小化工程と、を具備する音声符号化方法であって、
前記拡散パタン生成工程では、１つの拡散パタンの特定要素の振幅値を変えることによってフレーム毎に異なる拡散パタンを生成する、音声符号化方法。
【請求項６】  前記拡散パタン生成工程では、１つの拡散パタンの１サンプル目の振幅値を変えることにより前記１つの拡散パタンを加工する、請求項５記載の音声符号化方法。
【請求項７】  前記拡散パタン生成工程では、拡散パタンの１要素のみの振幅が他の要素に比べて相対的に増減するように拡散パタンのパルス振幅値を変える、請求項５記載の音声符号化方法。
【請求項８】  前記拡散パタン生成工程では、係数を乗算することにより拡散パタンのパルス振幅値を変える、請求項５記載の音声符号化方法。
【手続補正３】
【補正対象書類名】明細書
【補正対象項目名】０００８
【補正方法】変更
【補正の内容】
【０００８】
本発明はかかる点に鑑みてなされたものであり、雑音符号帳のサイズを削減することができ、無声部や定常雑音部に対する品質を改善することができ、しかもモード判定誤り時の品質劣化を抑えつつ、無声音声や背景雑音に対する符号化性能を改善することができる音声符号化装置及び音声符号化方法を提供することを目的とする。
【手続補正４】
【補正対象書類名】明細書
【補正対象項目名】０００９
【補正方法】変更
【補正の内容】
【０００９】
【課題を解決するための手段】
本発明の音声符号化装置は、音源パルスで構成された音源ベクトルを生成する音源ベクトル生成手段と、拡散パタンを生成する拡散パタン生成手段と、前記生成された拡散パタンにしたがって前記生成された音源ベクトルのパルスを拡散するパルス拡散手段と、聴覚重み付け後の誤差信号のエネルギを最小とする前記音源ベクトルを決定する誤差最小化手段と、を具備する音声符号化装置であって、前記拡散パタン生成手段は、１つの拡散パタンの特定要素の振幅値を変えることによってフレーム毎に異なる拡散パタンを生成する、構成を採る。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】変更
【補正の内容】
【００３９】
本発明の音声符号化方法は、音源パルスで構成された音源ベクトルを生成する音源ベクトル生成工程と、拡散パタンを生成する拡散パタン生成工程と、前記生成された拡散パタンにしたがって前記生成された音源ベクトルのパルスを拡散するパルス拡散工程と、聴覚重み付け後の誤差信号のエネルギを最小とする前記音源ベクトルを決定する誤差最小化工程と、を具備する音声符号化方法であって、前記拡散パタン生成工程では、１つの拡散パタンの特定要素の振幅値を変えることによってフレーム毎に異なる拡散パタンを生成する。